(57)【要約】【課題】聴覚障害者である住戸内の居住者が、玄関先に居る来訪者からの呼び出しを確認する際の利便性を向上させる。【解決手段】来訪者によるインターホン子機１の呼出ボタン１０の操作を検出したインターホン親機２の呼出検出回路２０からの検出信号が入力された時間調整スイッチ２４ａを有するタイマ回路２４は、一定時間、計時信号を出力し、この計時信号に応じて色彩フラッシュ信号発生回路２５から色彩フラッシュ信号が出力されることにより、ビデオアンプ２８を介してカラーディスプレイ２９の画面を所定の視感度の高い色彩でフラッシュさせることができる。また、回転灯等の外部報知装置３は、インターホン親機の呼出検出回路からの検出信号が入力されると駆動する。【選択図】　図１
2004032064.tif 000002
【特許請求の範囲】
【請求項１】
来訪者がインターホン子機（１）の呼出ボタン（１０）を操作することにより、インターホン親機（２）の呼出検出回路（２０）にて呼び出しを検出しスピーカ（２３）にて呼出音が鳴動されるとともに、前記インターホン子機のカメラ（１１）にて撮像された前記来訪者の映像が前記インターホン親機のカラーディスプレイ（２９）に出画され、前記インターホン親機の応答操作により前記インターホン子機の通話部（１２）と前記インターホン親機の通話部（３０）との間で通話を行なうカラーテレビドアホン装置であって、
前記インターホン親機は、前記呼出検出回路からの検出信号により一定時間、計時信号を出力するためのタイマ回路（２４）と、前記タイマ回路からの前記計時信号に応じて前記カラーディスプレイの画面を所定の視感度の高い色彩でフラッシュさせるための色彩フラッシュ信号発生回路（２５）とを備えたことを特徴とするカラーテレビドアホン装置。
【請求項２】
前記タイマ回路は、前記計時信号を出力させる時間を変更するための時間調整スイッチ（２４ａ）を有することを特徴とする請求項１記載のカラーテレビドアホン装置。
【請求項３】
前記来訪者の映像信号を増幅して前記カラーディスプレイに印加するとともに、前記色彩フラッシュ信号発生回路からのフラッシュ信号が印加されて前記カラーディスプレイの画面をフラッシュさせるためのビデオアンプ（２８）を備えたことを特徴とする請求項１または請求項２記載のカラーテレビドアホン装置。
【請求項４】
前記計時信号の出力を阻止、または前記カラーディスプレイの画面がフラッシュされている時間中に前記計時信号の出力を停止させるためのフラッシュ遮断スイッチ（２６）を備えたことを特徴とする請求項１乃至請求項３のうち何れか１項記載のカラーテレビドアホン装置。
【請求項５】
前記フラッシュ遮断スイッチに連動して前記呼出検出回路からの検出信号により前記来訪者からの呼び出しを報知する回転灯等の外部報知装置（３）への接続を遮断する外部出力端子（Ｔ２ｂ）を備えたことを特徴とする請求項４記載のカラーテレビドアホン装置。
【発明の詳細な説明】
【０００１】
【発明の属する技術分野】
本発明はカラーテレビドアホン装置に係り、特に、聴覚障害者である住戸内の居住者が、玄関先に居る来訪者からの呼び出しを容易に確認できるカラーテレビドアホン装置に関する。
【０００２】
【従来の技術】
従来から、この種のカラーテレビドアホン装置として、特開２０００−１２５０２１公報掲載のドアホン装置（以下、従来例のドアホン装置という。）が提案されている。
【０００３】
従来例のドアホン装置において、住戸内の居住者は、インターホン親機のスピーカ（拡声スピーカ）にて鳴動された呼出音およびモニタに出画された映像のみならず、このモニタの少なくとも一部に出力表示された呼出状態を示す文字または記号からなる映像、またはフリッカされた映像により、玄関先に居る来訪者からの呼び出しを確認できる。
【０００４】
【発明が解決しようとする課題】
しかしながら、従来例のドアホン装置において、住戸内の居住者が聴覚障害者であり、この居住者が玄関先に居る来訪者からの呼び出しを確認することは容易でなかった。
【０００５】
本発明は、上述の難点を解消するためになされたもので、聴覚障害者である住戸内の居住者が、玄関先に居る来訪者からの呼び出しを確認する際の利便性を向上させたカラーテレビドアホン装置を提供することを目的としている。
【０００６】
【課題を解決するための手段】
上述の目的を達成するため、本発明のカラーテレビドアホン装置は、来訪者がインターホン子機の呼出ボタンを操作することにより、インターホン親機の呼出検出回路にて呼び出しを検出しスピーカにて呼出音が鳴動されるとともに、インターホン子機のカメラにて撮像された来訪者の映像がインターホン親機のカラーディスプレイに出画され、インターホン親機の応答操作によりインターホン子機の通話部とインターホン親機の通話部との間で通話を行なう装置である。インターホン親機は、呼出検出回路からの検出信号により一定時間、計時信号を出力するためのタイマ回路と、タイマ回路からの計時信号に応じて前記カラーディスプレイの画面を所定の視感度の高い色彩でフラッシュさせるための色彩フラッシュ信号発生回路とを備える。
【０００７】
このようなカラーテレビドアホン装置によれば、インターホン親機の呼出検出回路にて来訪者によるインターホン子機の呼出ボタンの操作が検出されると、呼出検出回路からの検出信号が入力されたタイマ回路より一定時間、計時信号が出力されるとともに、この計時信号に応じて色彩フラッシュ信号発生回路よりフラッシュ信号が出力され、カラーディスプレイの画面を所定の視感度の高い色彩でフラッシュさせることができる。
【０００８】
また、本発明のカラーテレビドアホン装置において、タイマ回路は、計時信号を出力させる時間を変更するための時間調整スイッチを有する。
【０００９】
このようなカラーテレビドアホン装置によれば、インターホン親機のタイマ回路に備えられた時間調整スイッチを操作することにより、タイマ回路より出力される計時信号の出力時間を任意の時間で変更できる。
【００１０】
また、本発明のカラーテレビドアホン装置は、来訪者の映像信号を増幅してカラーディスプレイに印加するとともに、色彩フラッシュ信号発生回路からのフラッシュ信号が印加されてカラーディスプレイの画面をフラッシュさせるためのビデオアンプを備える。
【００１１】
このようなカラーテレビドアホン装置によれば、インターホン親機のビデオアンプは、インターホン子機のカメラにて撮像された映像信号、または色彩フラッシュ信号発生回路からのフラッシュ信号が印加され、印加された映像信号、またはフラッシュ信号に基づき、カラーディスプレイに来訪者の映像を出画、またはカラーディスプレイの画面をフラッシュさせることができる。
【００１２】
また、本発明のカラーテレビドアホン装置は、計時信号の出力を阻止、またはカラーディスプレイの画面がフラッシュされている時間中に計時信号の出力を停止させるためのフラッシュ遮断スイッチを備える。
【００１３】
このようなカラーテレビドアホン装置によれば、インターホン親機のフラッシュ遮断スイッチを操作することにより、タイマ回路からの計時信号の出力を阻止できる、またはカラーディスプレイの画面がフラッシュされている時間中に計時信号の出力を停止できる。
【００１４】
また、本発明のカラーテレビドアホン装置は、フラッシュ遮断スイッチに連動して呼出検出回路からの検出信号により来訪者からの呼び出しを報知する回転灯等の外部報知装置への接続を遮断する外部出力端子を備える。
【００１５】
このようなカラーテレビドアホン装置によれば、インターホン親機のフラッシュ遮断スイッチを操作することにより、呼出検出回路からの検出信号に基づき駆動される外部出力端子を介した外部報知装置への接続を遮断できる。
【００１６】
【発明の実施の形態】
以下、本発明のカラーテレビドアホン装置を適用した好ましい形態の実施例について、図面を参照して説明する。
【００１７】
図１は、本発明の一実施例によるカラーテレビドアホン装置の構成を示すブロック図（回路ブロック図）である。
【００１８】
図１のブロック図に示すカラーテレビドアホン装置は、玄関先に設置されており、玄関先に居る来訪者が住戸内の居住者を呼び出して通話を成立させるための機能、来訪者の映像を撮像するための機能を備えたインターホン子機１と、住戸内に設置され、子機／親機接続ラインＬ１を介してインターホン子機１が接続されており、来訪者からの呼び出しを報知（発報／表示）するための機能、来訪者からの呼び出しを確認した居住者が（呼出元の）来訪者との間で通話を成立させるための機能を備えたインターホン親機２と、外部接続ラインＬ２を介してインターホン親機２が接続されており、来訪者からの呼び出しを報知（表示）するための機能を備えた回転灯等の外部報知装置３とで構成されている。
【００１９】
図１のブロック図において、インターホン子機１には、玄関先に居る来訪者が住戸内の居住者を呼び出すために操作する呼出ボタン１０と、呼出操作を行なった来訪者の映像を撮像し、撮像された来訪者の映像信号を出力するためのカメラ１１と、呼出操作を行なった来訪者が居住者との間で通話を成立させるために使用するマイクロフォン、スピーカ、送受話アンプ等からなる通話部（以下、子機通話部という。）１２と、カメラ１１にて撮像された来訪者の映像信号をＦＭ変調するための映像変調回路１３と、呼出ボタン１０の操作（呼出操作）を検出し、カメラ１１、映像変調回路１３がそれぞれ能動となるように制御するとともに、子機／親機接続ラインＬ１上に予め重畳されている直流電源の電圧レベルを降圧させるための呼出検出／制御回路１４と、インターホン親機２から給電される直流電源を、当該インターホン子機の構成各部／回路に動作電源としてそれぞれ供給するための電源部（以下、子機電源部という。）１５と、上述の子機通話部１２、映像変調回路１３、呼出検出／制御回路１４、子機電源部１５と親機接続端子Ｔ１に接続されている子機／親機接続ラインＬ１との間の信号伝送路／電源供給路をそれぞれ形成するためのインターフェース（以下、子機Ｉ／Ｆという。）１６とが備えられている。
【００２０】
また、図１のブロック図において、インターホン親機２には、玄関先に居る来訪者からの呼び出し、すなわち、インターホン子機１の呼出ボタン１０が操作されたことを検出するための呼出検出回路２０と、呼出検出回路２０からの検出信号により制御され、後述するスピーカ２３にて呼出音を鳴動させるための呼出音信号を出力する呼出音信号発生回路２１と、呼出音信号発生回路２１からの呼出音信号を増幅するための呼出音アンプ２２と、呼出音アンプ２２を介して増幅された呼出音信号を信号処理し、来訪者からの呼び出しを発報させる呼出音を鳴動するためのスピーカ（拡声スピーカ）２３と、呼出検出回路２０からの検出信号の入力に基づき一定時間の計時を開始し、計時中において計時信号を出力するために設けられ、当該計時信号の出力時間を任意の時間で変更させるための時間調整スイッチ２４ａを有するタイマ回路２４と、タイマ回路２４からの計時信号に応じて、後述するカラーディスプレイ２９の画面を所定の視感度の高い色彩でフラッシュさせるためのフラッシュ信号を出力する色彩フラッシュ信号発生回路２５と、呼出検出回路２０に接続され、タイマ回路２４からの計時信号の出力を阻止、またはカラーディスプレイ２９の画面がフラッシュされている時間中に当該計時信号の出力を停止させるためのフラッシュ遮断スイッチ２６と、タイマ回路２４からの制御信号の入力に基づき能動とされ、インターホン子機１からの映像変調信号をＦＭ復調するための映像復調回路２７と、映像復調回路２７を介してＦＭ復調され印加された映像信号を増幅する、または色彩フラッシュ信号発生回路２５より印加されたフラッシュ信号を増幅するためのビデオアンプ２８と、呼出検出回路２０からの検出信号の入力に基づき駆動され、ビデオアンプ２８を介して増幅された映像信号、またはフラッシュ信号を信号処理し、来訪者の映像を出画させる、または画面が所定の視感度の高い色彩でフラッシュされるカラーディスプレイ２９と、応答操作を行なった居住者が来訪者との間で通話を成立させるために使用するハンドセット、送受話アンプ等からなる通話部（以下、親機通話部という。）３０と、電源受電端子Ｔ２ｃ、電源供給ラインＬ３を介して接続されている商用電源からの交流電源を直流電源に整流し、この直流電源を当該インターホン親機の構成各部／回路に動作電源としてそれぞれ供給するとともに、インターホン子機１の構成各部／回路の動作電源として子機電源部１５に給電するための電源部（以下、親機電源部という。）３１と、上述の呼出検出回路２０、映像復調回路２７、親機通話部３０、親機電源部３１と子機接続端子Ｔ２ａに接続されている子機／親機接続ラインＬ１との間の信号伝送路／電源供給路をそれぞれ形成するためのインターフェース（以下、親機Ｉ／Ｆという。）３２とが備えられており、呼出検出回路２０には、外部出力端子Ｔ２ｂ、外部接続ラインＬ２を介して外部報知装置３が接続されている。
【００２１】
このように構成された本発明の一実施例によるカラーテレビドアホン装置において、以下、具体的な動作について説明する。
【００２２】
図１のブロック図に示すカラーテレビドアホン装置において、インターホン親機２の親機電源部３１は、電源受電端子Ｔ２ｃ、電源供給ラインＬ３を介して接続されている商用電源からの交流電源を直流電源に整流し、当該インターホン親機の構成各部／回路に動作電源としてそれぞれ供給しているとともに、この直流電源を、親機Ｉ／Ｆ３２、子機接続端子Ｔ２ａ、子機／親機接続ラインＬ１、インターホン子機１の親機接続端子Ｔ１、子機Ｉ／Ｆ１６を介して子機電源部１５に給電しており、子機電源部１５は、受電した直流電源を当該インターホン子機の構成各部／回路に動作電源としてそれぞれ供給している。
【００２３】
次に、図１のブロック図に示すカラーテレビドアホン装置において、玄関先に居る来訪者が、住戸内の居住者を呼び出すためにインターホン子機１の呼出ボタン１０を操作すると、呼出操作を検出した呼出検出／制御回路１４の制御により、親機接続端子Ｔ１とインターホン親機２の子機接続端子Ｔ２ａとを接続する子機／親機接続ラインＬ１上に予め重畳されている直流電源の電圧レベルが子機Ｉ／Ｆ１６を介して降圧されるとともに、カメラ１１、映像変調回路１３がそれぞれ制御され能動となる。カメラ１１は、呼出操作を行なった来訪者の映像の撮像を開始し、撮像された来訪者の映像信号は、映像変調回路１３を介して映像変調信号にＦＭ変調される。この映像変調信号は、子機Ｉ／Ｆ１６、親機接続端子Ｔ１、子機／親機接続ラインＬ１、インターホン親機２の子機接続端子Ｔ２ａ、親機Ｉ／Ｆ３２を介して映像復調回路２７に伝送される。
【００２４】
また、インターホン親機２の呼出検出回路２０は、上述のインターホン子機１の呼出検出／制御回路１３の制御により電圧レベルが降圧された子機／親機接続ラインＬ１上の直流電源に基づき玄関先に居る来訪者からの呼び出しを検出し、その旨の検出信号を呼出音信号発生回路２１、タイマ回路２４、カラーディスプレイ２９と外部出力端子Ｔ２ｂ、外部接続ラインＬ２を介して外部報知装置３とにそれぞれ出力することにより、呼出音信号発生回路２１では呼出音信号が生成され、タイマ回路２４にて一定時間の計時が開始され、カラーディスプレイ２９が駆動されるとともに、外部報知装置３では、インターホン親機２の設置場所から離れた場所に居る住戸内の居住者に対して、玄関先に居る来訪者からの呼び出しを、例えば、回転灯等を駆動して確認させることができる。
【００２５】
また、インターホン親機２のスピーカ２３は、呼出音アンプ２２を介して増幅された呼出音信号発生回路２１からの呼出音信号を信号処理し、呼出音を鳴動させることにより、玄関先に居る来訪者からの呼び出しを住戸内の居住者に確認させることができる。
【００２６】
また、インターホン親機２のタイマ回路２４は、計時中の一定時間内において計時信号を色彩フラッシュ信号発生回路２５に出力するとともに、映像復調回路２７を非能動とするための制御信号、ビデオアンプ２８を能動とするための制御信号をそれぞれ出力する。タイマ回路２４からの計時信号を検出した色彩フラッシュ信号発生回路２５では、カラーディスプレイ２９の画面を所定の視感度の高い色彩でフラッシュさせるためのフラッシュ信号を（能動状態の）ビデオアンプ２８に印加する。ビデオアンプ２８は、フラッシュ信号発生回路２６からのフラッシュ信号を増幅してカラーディスプレイ２９に出力することにより、カラーディスプレイ２９の画面を所定の視感度の高い色彩でフラッシュ、例えば、赤色や緑色にフラッシュさせることができることから、当該インターホン親機の近傍に居る居住者が健常者の場合のみならず、上述のスピーカ２３からの呼出音の鳴動を確認することが容易でない聴覚障害者の場合でも、玄関先に居る来訪者からの呼び出しの確認が可能となり、呼出確認時の利便性が向上する。
【００２７】
なお、インターホン親機２において、呼出検出回路２０からの検出信号が入力されたタイマ回路２４にて計時中の一定時間内において、映像復調回路２７からビデオアンプ２８を介してカラーディスプレイ２９への信号伝送路は遮断されていることにより、インターホン子機１のカメラ１１にて撮像された映像、すなわち、玄関先に居る来訪者の映像がカラーディスプレイ２９に出画されることはない。また、カラーディスプレイ２９の画面が所定の視感度の高い色彩でフラッシュされる、例えば、赤色や緑色にフラッシュされる時間、すなわち、タイマ回路２４にて計時される一定時間をなす計時信号の出力時間は、当該タイマ回路に備えられた時間調整スイッチ２４ａを住戸内の居住者が操作することにより、任意の時間で変更可能である。
【００２８】
また、インターホン親機２において、カラーディスプレイ２９の画面が所定の視感度の高い色彩でフラッシュされている、例えば、赤色や緑色にフラッシュされている時間中、すなわち、タイマ回路２４にて計時される一定時間内において、上述のフラッシュが住戸内の居住者にとって眩しさを有している場合等、この居住者がフラッシュ遮断スイッチ２６を操作すると、遮断操作を検出した呼出検出回路２０からタイマ回路２４および外部出力端子Ｔ２ａ、外部接続ラインＬ２を介して外部報知装置３への検出信号の出力がそれぞれ停止されることにより、タイマ回路２４の計時が終了し色彩フラッシュ信号発生回路２５への計時信号の出力も停止され、これに起因して色彩フラッシュ信号発生回路２５からビデオアンプ２８へのフラッシュ信号の印加も停止することから、上述のフラッシュを終了させることができるとともに、外部報知装置３の駆動も停止される。
【００２９】
なお、インターホン親機２のフラッシュ遮断スイッチ２６が、上述のようにカラーディスプレイ２９の画面が所定の視感度の高い色彩でフラッシュされている時間中のみならず、待受時等において住戸内の居住者により予め操作されている場合には、タイマ回路２４からの計時信号の出力を阻止できる。
【００３０】
さらに、インターホン親機２のタイマ回路２４にて一定時間の計時が終了する、または計時中の一定時間内において住戸内の居住者によりフラッシュ遮断スイッチ２６が操作されると、タイマ回路２４は、映像復調回路２７を能動とするための制御信号、ビデオアンプ２８の能動状態を保持するための制御信号をそれぞれ出力することにより、映像復調回路２７からビデオアンプ２８を介してカラーディスプレイ２９への信号伝送路が形成される。映像復調回路２７は、インターホン子機１の呼出ボタン１０が操作されてから継続して伝送されてきている映像変調信号を映像信号にＦＭ復調させ、ビデオアンプ２８に印加する。ビデオアンプ２８では、映像復調回路２７を介してＦＭ復調され印加された映像信号を増幅させ、カラーディスプレイ２９に出力する。カラーディスプレイ２９では、ビデオアンプ２８を介して増幅された映像信号を信号処理することにより、玄関先に居る来訪者の映像が出画される。
【００３１】
次に、図１のブロック図に示すカラーテレビドアホン装置において、上述の呼出発報／表示手段に基づき玄関先に居る来訪者からの呼び出しを、当該来訪者の判別と併せて確認した住戸内の居住者が、インターホン親機２の親機通話部３０にて応答操作を行なうと、この親機通話部３０と親機Ｉ／Ｆ３２、子機接続端子Ｔ２ａ、子機／親機接続ラインＬ１、インターホン子機１の親機接続端子Ｔ１、子機Ｉ／Ｆ１６を介して来訪者が使用する子機通話部１２との間の通話路が形成され、形成された通話路を介して音声信号を送受信させることにより通話が成立する。
【００３２】
なお、本発明の一実施例によるカラーテレビドアホン装置では、住戸内に設置されるインターホン親機として、時間調整スイッチ２４ａを有するタイマ回路２４、フラッシュ遮断スイッチ２６、ビデオアンプ２８が備えられたインターホン親機２を適用し、併せてインターホン親機２に外部報知装置３を接続させたが、上述のタイマ回路２４に時間調整スイッチ２４ａを備えることの要否やフラッシュ遮断スイッチ２６、ビデオアンプ２８および外部報知装置３を備えることの要否を、使用状況に応じて適宜、組み合わせることにより、当該カラーテレビドアホン装置を構成できる。
【００３３】
【発明の効果】
以上の説明から明らかなように、本発明のカラーテレビドアホン装置によれば、聴覚障害者である住戸内の居住者が、玄関先に居る来訪者からの呼び出しを確認する手段として、インターホン親機のタイマ回路にて計時中の一定時間内、所定の視感度の高い色彩でフラッシュされている、例えば、赤色や緑色にフラッシュされているカラーディスプレイの画面、および駆動されている回転灯等の外部報知装置に基づく聴覚的な表示手段を利用して呼出報知でき、呼出確認時の利便性が向上される。
【００３４】
また、住戸内の居住者は、インターホン親機のカラーディスプレイの画面がフラッシュされる時間、すなわち、タイマ回路にて計時される一定時間を、任意の時間で変更できるばかりでなく、カラーディスプレイの画面のフラッシュ、外部報知装置の駆動を適宜、停止させることができる。
【図面の簡単な説明】
【図１】本発明の一実施例によるカラーテレビドアホン装置の構成を示すブロック図（回路ブロック図）である。
【符号の説明】
１・・・・・インターホン子機
２・・・・・インターホン親機
３・・・・・外部報知装置
１０・・・・・呼出ボタン
１１・・・・・カメラ
１２・・・・・（インターホン子機の）通話部
２０・・・・・呼出検出回路
２３・・・・・スピーカ
２４・・・・・タイマ回路
２４ａ・・・・・時間調整スイッチ
２５・・・・・色彩フラッシュ信号発生回路
２６・・・・・フラッシュ遮断スイッチ
２８・・・・・ビデオアンプ
２９・・・・・カラーディスプレイ
３０・・・・・（インターホン親機の）通話部
Ｔ２ｂ・・・・・外部出力端子
【図１】
2004032064.tif 000003